(57)【要約】【課題】コンテンツデータ内における楽曲の演奏シーンの期間を確実に検出する記録装置、記録方法及びプログラムを提供する。【解決手段】楽曲の演奏シーンを含む第一のコンテンツデータと、第一のコンテンツデータに関する情報を含む第一のメタデータを受信する受信部１０４と、第一のメタデータから字幕データを検出する字幕検出部１４２と、複数の楽曲に関する情報を含む第二のメタデータが記録された第一のデータベース部から文字情報を抽出して、検出された字幕データと抽出された文字情報とを比較する第一の比較部１４４と、第一の比較部における比較結果に基づいて、第一のコンテンツデータに含まれる楽曲の演奏シーンのうち、文字情報と一致する時刻を検出する一致時刻検出部１４４とを備える。【選択図】図３
2011091588.tif 000002
【特許請求の範囲】
【請求項１】
楽曲の演奏シーンを含む第一のコンテンツデータと、前記第一のコンテンツデータに関する情報を含む第一のメタデータを受信する受信部と、
前記第一のメタデータから字幕データを検出する字幕検出部と、
複数の楽曲に関する情報を含む第二のメタデータが記録された第一のデータベース部から文字情報を抽出して、前記検出された字幕データと前記抽出された文字情報とを比較する第一の比較部と、
前記第一の比較部における比較結果に基づいて、前記第一のコンテンツデータに含まれる前記楽曲の前記演奏シーンのうち、前記文字情報と一致する時刻を検出する一致時刻検出部と、
を備える、記録装置
【請求項２】
前記検出された一致時刻を含むように前記第一のコンテンツデータから一定期間のオーディオデータを検出するオーディオ検出部と、
複数の楽曲に関する情報を含む第二のコンテンツデータが記録された第二のデータベース部から音声データを抽出して、前記一定期間のオーディオデータと前記抽出された音声データとを比較する第二の比較部と、
前記第二の比較部における比較結果に基づいて、前記第一のコンテンツデータに含まれる前記一定期間のオーディオデータのうち、前記抽出された音声データと一致する時間帯を検出する楽曲区間検出部と、
を更に備える、請求項１に記載の記録装置。
【請求項３】
前記検出された時間帯に基づいて、前記時間帯の前記第一のコンテンツデータを記憶部に記録する録画部を更に備える、請求項２に記載の記録装置。
【請求項４】
前記検出された時間帯と前記文字情報に基づいて、画面に楽曲の一覧を表示する表示制御部を更に備える、請求項２又は３に記載の記録装置。
【請求項５】
前記検出された一致時刻と前記文字情報に基づいて、画面に演奏時刻情報を表示する表示制御部を更に備える、請求項１〜４のいずれか１項に記載の記録装置。
【請求項６】
前記検出された時間帯と、前記文字情報を外部に送信する送信部を更に備える、請求項１〜５のいずれか１項に記載の記録装置。
【請求項７】
前記第一のデータベース部又は前記第二のデータベース部は、ネットワークを介して接続されている、請求項１〜６のいずれか１項に記載の記録装置。
【請求項８】
受信部が、楽曲の演奏シーンを含む第一のコンテンツデータと、前記第一のコンテンツデータに関する情報を含む第一のメタデータを受信するステップと、
字幕検出部が前記第一のメタデータから字幕データを検出するステップと、
第一の比較部が、複数の楽曲に関する情報を含む第二のメタデータが記録された第一のデータベース部から文字情報を抽出して、前記検出された字幕データと前記抽出された文字情報とを比較するステップと、
一致時刻検出部が、前記第一の比較部における比較結果に基づいて、前記第一のコンテンツデータに含まれる前記楽曲の前記演奏シーンのうち、前記文字情報と一致する時刻を検出するステップと、
を備える、記録方法
【請求項９】
オーディオ検出部が、前記検出された一致時刻を含むように前記第一のコンテンツデータから一定期間のオーディオデータを検出するステップと、
第二の比較部が、複数の楽曲に関する情報を含む第二のコンテンツデータが記録された第二のデータベース部から音声データを抽出して、前記一定期間のオーディオデータと前記抽出された音声データとを比較するステップと、
楽曲区間検出部が、前記第二の比較部における比較結果に基づいて、前記第一のコンテンツデータに含まれる前記一定期間のオーディオデータのうち、前記抽出された音声データと一致する時間帯を検出するステップと、
を更に備える、請求項８に記載の記録方法。
【請求項１０】
楽曲の演奏シーンを含む第一のコンテンツデータと、前記第一のコンテンツデータに関する情報を含む第一のメタデータを受信する手段、
前記第一のメタデータから字幕データを検出する手段、
複数の楽曲に関する情報を含む第二のメタデータが記録された第一のデータベース部から文字情報を抽出して、前記検出された字幕データと前記抽出された文字情報とを比較する手段、
前記第一の比較部における比較結果に基づいて、前記第一のコンテンツデータに含まれる前記楽曲の前記演奏シーンのうち、前記文字情報と一致する時刻を検出する手段、
としてコンピュータを機能させるためのプログラム。
【請求項１１】
前記検出された一致時刻を含むように前記第一のコンテンツデータから一定期間のオーディオデータを検出する手段、
複数の楽曲に関する情報を含む第二のコンテンツデータが記録された第二のデータベース部から音声データを抽出して、前記一定期間のオーディオデータと前記抽出された音声データとを比較する手段、
前記第二の比較部における比較結果に基づいて、前記第一のコンテンツデータに含まれる前記一定期間のオーディオデータのうち、前記抽出された音声データと一致する時間帯を検出する手段、
としてコンピュータを更に機能させるための請求項１０に記載のプログラム。
【発明の詳細な説明】
【技術分野】
【０００１】
本発明は、録画装置、録画方法及びプログラムに関する。
【背景技術】
【０００２】
ハードディスクレコーダーやホームサーバーなどの記録装置は、テレビ放送信号を受信して放送内容（コンテンツ）を記録する。テレビ放送信号には、放送内容以外に放送内容に関する様々な情報（メタデータ）が含まれる。放送内容に関する様々な情報とは、放送内容の説明、放送時間、出演者等のメタデータである。録画装置はメタデータを使用して録画予約等をする場合がある。特許文献１では、映像中の字幕の変化を検出することで自動的に意味のあるシーンの切り替わりを検出する技術が開示されている。
【先行技術文献】
【特許文献】
【０００３】
【特許文献１】特開２０００−１８７９０４号公報
【発明の概要】
【発明が解決しようとする課題】
【０００４】
テレビ放送の視聴者は、放送番組から音楽の演奏者の演奏（歌唱を含む。以下同じ。）シーンのみを保存したいことがある。従来の録画装置は、メタデータを使用して出演者情報から例えば目的の歌手が出演している番組を検出し、検出した番組全体を記録できる。しかし、従来の録画装置は、番組中から目的の歌手の歌唱シーンを抽出できず、その部分のみを録画することは不可能である。
【０００５】
特許文献１の技術では、字幕を利用することによってシーンの切り替わりを検出できるが、目的の歌手がいつからいつまで歌唱しているかという歌唱シーンの期間を検出できない。即ち、特許文献１の技術では、シーンの切り替わりによって、歌手の歌唱が開始したのか否か、又は歌手の歌唱が終了したのか否かが不明であり、シーンの切り替わりとシーンの切り替わりの間がどのような内容の放送であるかを検出できない。
【０００６】
従って、テレビ放送の視聴者は、放送番組から音楽の演奏者の演奏シーンのみを保存したい場合は、放送番組が表示されている画面を視聴しながら手動で録画装置の記録開始及び終了を操作しなければならない。
【０００７】
そこで、本発明は、上記問題に鑑みてなされたものであり、本発明の目的とするところは、コンテンツデータ内における楽曲の演奏シーンの期間を確実に検出することが可能な、新規かつ改良された録画装置、録画方法及びプログラムを提供することにある。
【課題を解決するための手段】
【０００８】
上記課題を解決するために、本発明のある観点によれば、楽曲の演奏シーンを含む第一のコンテンツデータと、第一のコンテンツデータに関する情報を含む第一のメタデータを受信する受信部と、第一のメタデータから字幕データを検出する字幕検出部と、複数の楽曲に関する情報を含む第二のメタデータが記録された第一のデータベース部から文字情報を抽出して、検出された字幕データと抽出された文字情報とを比較する第一の比較部と、第一の比較部における比較結果に基づいて、第一のコンテンツデータに含まれる楽曲の演奏シーンのうち、文字情報と一致する時刻を検出する一致時刻検出部とを備える記録装置が提供される。
【０００９】
上記検出された一致時刻を含むように第一のコンテンツデータから一定期間のオーディオデータを検出するオーディオ検出部と、複数の楽曲に関する情報を含む第二のコンテンツデータが記録された第二のデータベース部から音声データを抽出して、一定期間のオーディオデータと抽出された音声データとを比較する第二の比較部と、第二の比較部における比較結果に基づいて、第一のコンテンツデータに含まれる一定期間のオーディオデータのうち、抽出された音声データと一致する時間帯を検出する楽曲区間検出部とを更に備えてもよい。
【００１０】
上記検出された時間帯に基づいて、時間帯の第一のコンテンツデータを記憶部に記録する録画部を更に備えてもよい。
【００１１】
上記検出された時間帯と文字情報に基づいて、画面に楽曲の一覧を表示する表示制御部を更に備えてもよい。
【００１２】
上記検出された一致時刻と文字情報に基づいて、画面に演奏時刻情報を表示する表示制御部を更に備えてもよい。
【００１３】
上記検出された時間帯と、文字情報を外部に送信する送信部を更に備えてもよい。
【００１４】
上記第一のデータベース部又は第二のデータベース部は、ネットワークを介して接続されてもよい。
【００１５】
また、上記課題を解決するために、本発明の別の観点によれば、受信部が、楽曲の演奏シーンを含む第一のコンテンツデータと、第一のコンテンツデータに関する情報を含む第一のメタデータを受信するステップと、字幕検出部が第一のメタデータから字幕データを検出するステップと、第一の比較部が、複数の楽曲に関する情報を含む第二のメタデータが記録された第一のデータベース部から文字情報を抽出して、検出された字幕データと抽出された文字情報とを比較するステップと、一致時刻検出部が、第一の比較部における比較結果に基づいて、第一のコンテンツデータに含まれる楽曲の演奏シーンのうち、文字情報と一致する時刻を検出するステップとを備える記録方法が提供される。
【００１６】
上記オーディオ検出部が、検出された一致時刻を含むように第一のコンテンツデータから一定期間のオーディオデータを検出するステップと、第二の比較部が、複数の楽曲に関する情報を含む第二のコンテンツデータが記録された第二のデータベース部から音声データを抽出して、一定期間のオーディオデータと抽出された音声データとを比較するステップと、楽曲区間検出部が、第二の比較部における比較結果に基づいて、第一のコンテンツデータに含まれる一定期間のオーディオデータのうち、抽出された音声データと一致する時間帯を検出するステップとを更に備えてもよい。
【００１７】
また、上記課題を解決するために、本発明の別の観点によれば、楽曲の演奏シーンを含む第一のコンテンツデータと、第一のコンテンツデータに関する情報を含む第一のメタデータを受信する手段、第一のメタデータから字幕データを検出する手段、複数の楽曲に関する情報を含む第二のメタデータが記録された第一のデータベース部から文字情報を抽出して、検出された字幕データと抽出された文字情報とを比較する手段、第一の比較部における比較結果に基づいて、第一のコンテンツデータに含まれる楽曲の演奏シーンのうち、文字情報と一致する時刻を検出する手段としてコンピュータを機能させるためのプログラムが提供される。
【００１８】
検出された一致時刻を含むように第一のコンテンツデータから一定期間のオーディオデータを検出する手段、複数の楽曲に関する情報を含む第二のコンテンツデータが記録された第二のデータベース部から音声データを抽出して、一定期間のオーディオデータと抽出された音声データとを比較する手段、第二の比較部における比較結果に基づいて、第一のコンテンツデータに含まれる一定期間のオーディオデータのうち、抽出された音声データと一致する時間帯を検出する手段として更にコンピュータを機能させてもよい。
【発明の効果】
【００１９】
以上説明したように本発明によれば、コンテンツデータ内における楽曲の演奏シーンの期間を確実に検出することができる。
【図面の簡単な説明】
【００２０】
【図１】本発明の第１の実施形態に係る録画システムを示すブロック図である。
【図２】同実施形態に係る録画装置を示すブロック図である。
【図３】同実施形態に係る録画装置を示すブロック図である。
【図４】同実施形態に係る録画装置の録画動作を示すフローチャートである。
【図５】録画データ、オーディオデータ及び曲データの関係を示す説明図である。
【図６】時間軸上の録画データと、画面に表示されるプレイリストを示す説明図である。
【図７】時間軸上の録画データと、画面に表示される演奏時刻情報を示す説明図である。
【図８】本発明の第１の実施形態に係る録画システムを示すブロック図である。
【図９】同実施形態に係る他の録画装置又は情報処理装置の動作を示すフローチャートである。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
１．第１の実施の形態
２．第２の実施の形態
【００２３】
＜１．第１の実施形態＞
［本実施形態の構成］
まず、図１を参照して、本発明の第１の実施形態に係る録画システムの構成について説明する。図１は、本発明の第１の実施形態に係る録画システムを示すブロック図である。
【００２４】
本実施形態に係る録画システムは、例えば、複数の録画装置１００と、サーバー２０などからなる。図１では、説明のため、一つの録画装置１００のみを示した。録画装置１００とサーバー２０は、インターネット等のネットワーク１０を介して相互に接続される。
【００２５】
録画装置１００は、テレビ放送信号を無線又は有線で受信し、放送番組を記録媒体に記録する。録画装置１００に接続されたディスプレイ３０は、放送番組、番組情報、プレイリスト等を表示する。サーバー２０は、例えばデータベース２２を有し、データベース２２に記録された楽曲に関する情報を録画装置１００に送る。データベース２２に記録された楽曲に関する情報は、例えば歌手、曲名、作詞者、作曲者、歌詞などの文字情報や、歌唱や演奏に関する音声データである。データベース２２は、第一のデータベース部、第二のデータベース部の一例である。
【００２６】
次に、図２を参照して、本実施形態に係る録画装置１００の構成について説明する。図２は、本実施形態に係る録画装置１００を示すブロック図である。
【００２７】
本実施形態に係る録画装置１００は、例えばＣＰＵ１０２と、チューナ１０４と、デコーダ１０６と、エンコーダ１０８と、通信制御部１１２と、ＲＯＭ１１４と、表示制御部１１６と、ＲＡＭ１１８と、記憶部１２０と、データベース部１２２などからなる。
【００２８】
ＣＰＵ（Central  Processing  Unit）１０２は、演算処理装置、制御装置などであり、ＲＯＭ１１４等のメモリに記録されたプログラムを実行する。本実施形態のＣＰＵ１０２は、例えば後述する字幕検出部１４２、キーワード比較部１４４、一致時刻記録部１４６、オーディオ検出部１５２、楽曲比較部１５４、楽曲区間記録部１５６などを有する。
【００２９】
チューナ１０４は、テレビ放送信号を受信する。テレビ放送信号の受信は、無線又は有線のいずれでもよい。受信したテレビ放送信号は、デコーダ１０６に送られる。チューナ１０４は、受信部の一例であり、コンテンツデータ（第一のコンテンツデータ）及びコンテンツデータに関するメタデータ（第一のメタデータ）を受信する。
【００３０】
デコーダ１０６は、テレビ放送信号を復号する。復号された信号は、エンコーダ１０８や表示制御部１１６に送られる。エンコーダ１０８は、復号されたテレビ放送信号を符号化し、符号化された信号を記憶部１２０に映像データとして送る。エンコーダ１０８は、後述する録画部１３２に該当する。
【００３１】
通信制御部１１２は、有線又は無線でのデータ伝送を制御する。通信制御部１１２は、例えばインターネットなどのネットワーク１０と接続して、サーバー２０からデータベース２２のデータを受ける。
【００３２】
ＲＯＭ（Read−Only  Memory）１１４は、読み出し専用のメモリであり、ＣＰＵ１０２で実行されるプログラム等が記録される。ＣＰＵ１０２によってＲＯＭ１１４に記録されたプログラムが読み出される。
【００３３】
表示制御部１１６は、復号されたテレビ放送信号をディスプレイ３０に送る。また、表示制御部１１６は、録画装置１００で作成されたプレイリスト等に関するデータについて、表示信号を生成し、生成した表示信号をディスプレイ３０に送る。これにより、ディスプレイ３０は、画面にプレイリスト等を表示できる。
【００３４】
ＲＡＭ（Random  Access  Memory）１１８は、テレビ放送信号を一時的に保管したり、後述する時刻情報が一時的に記録されたりする。ＲＡＭ１１８は、後述するバッファ部１２４に該当する。
【００３５】
記憶部１２０は、録画対象となった放送番組のデータを録画データとして記憶する。データベース部１２２は、データベースに記録された楽曲に関する情報、例えば歌手、曲名、作詞者、作曲者、歌詞などの文字情報や、歌唱や演奏に関する音声データを保持する。即ち、データベース部はコンテンツデータ（第二のコンテンツデータ）とメタデータ（第二のメタデータ）を保持する。データベース２２は、第一のデータベース部、第二のデータベース部の一例である。
【００３６】
上述した例では、録画装置１００がサーバー２０に接続される例について説明した。データベース部１２２は、データベース２２にアクセスして、最新情報を取得する。なお、録画装置１００はデータベース部１２２を有さず、サーバー２０のデータベース２２を使用してもよい。
【００３７】
［本実施形態の動作］
次に、図３及び図４を参照して、本実施形態に係る録画装置１００の動作を説明する。図３は、本実施形態に係る録画装置を示すブロック図である。図４は、本実施形態に係る録画装置の録画動作を示すフローチャートである。
【００３８】
まず、ユーザーは、録画装置１００において、録画を希望する目的の歌手、目的の曲名又はそれらの組み合わせを指定する（ステップＳ１０１）。録画装置１００は、放送に含まれる番組情報（ＥＰＧ等のメタデータ）に基づいて、目的とする歌手が出演する番組を抽出する（ステップＳ１０２）。そして、抽出された番組の録画の予約を行い（ステップＳ１０３）、放送時間に合わせて録画を開始する（ステップＳ１０４）。なお、番組の抽出、選択は、録画装置１００が番組情報に基づいて行う場合に限定されず、ユーザーが直接、録画したい番組を指定してもよい。
【００３９】
録画が開始されると、ユーザーによる指定等によって録画対象となった放送内容、例えば放送番組のデータ（以下、「録画データ」ともいう。）がバッファ部１２４に入力される。録画データは、コンテンツデータとコンテンツデータに関する情報を含むメタデータからなる。そして、録画データは、バッファ部１２４で一時的に保管される（ステップＳ１０５）。ここで、録画対象となった放送番組は、ユーザーが音楽の演奏を保存したい番組である。番組は、例えば楽曲を中心に放映する音楽番組、演奏者に関するドキュメンタリー番組などジャンルに関わらず、いずれのジャンルの番組でもよい。
【００４０】
次に、字幕検出部１４２が、字幕データをバッファ部１２４に保管された録画データから検出する（ステップＳ１０６）。字幕データは、メタデータに含まれるデータである。字幕データは、番組で放送される音声を文字で表現した字幕に関する情報であり、文字情報である。例えば、番組で歌手が歌唱している場合、字幕データには歌詞が含まれる。また、番組で司会やナレーターによって音楽タイトル、演奏者が紹介されている場合、字幕データには音楽タイトル、演奏者が含まれる。
【００４１】
検出された字幕データは、キーワード比較部１４４に送られる。また、キーワード比較部１４４は、第一の比較部の一例であり、ユーザーが保存したい歌手名又は曲名等に関する文字情報を、データベース部１２２から読み出す。データベース部１２２から読み出される文字情報は、歌手、曲名、作詞者、作曲者、歌詞などである。データベースは、録画装置１００内に搭載されたデータベース部１２２に記録されているものを使用しているが、ネットワークを介して接続されたサーバー内のデータベース２２に記録されているものを使用してもよい。
【００４２】
キーワード比較部１４４は、検出された字幕データと、データベース部１２２から読み出された文字情報を比較して（ステップＳ１０７）、ユーザーが保存したい目的とした歌手又は楽曲等に関する文字情報が一致する時刻ｔ０を検出する。キーワード比較部１４４は、一致時刻検出部の一例である。検出された一致時刻ｔ０は、一致時刻記録部１４６によってＲＡＭ１１８等のメモリに記録される（ステップＳ１０８）。ここで、時刻とは例えば放送番組の時刻である。
【００４３】
図５に、録画データにおける時刻ｔ０を示す。図５は、録画データ、オーディオデータ及び曲データの関係を示す説明図である。記録された一致時刻ｔ０は、目的とした歌手又は楽曲の歌唱シーンが存在する時刻であり、番組中において、いつ演奏シーンが放送されたかを目安として知ることができる情報である。
【００４４】
次に、オーディオ検出部１５２は、記録された一致時刻ｔ０を含むオーディオデータをバッファ部１２４から読み出す。オーディオデータは、コンテンツデータに含まれるデータである。オーディオデータは、番組で放送される音声に関する情報である。オーディオデータは、例えば、番組で歌手が歌唱している場合、歌唱部分の音声データであり、演奏者が演奏している場合、演奏部分の音声データである。また、オーディオデータは、番組で司会やナレーターによって音楽タイトル、演奏者が紹介されている場合、人の声に関する音声データである。
【００４５】
バッファ部１２４からオーディオデータが読み出されるとき、記録された一致時刻ｔ０を含む、ある長さを有するデータが抽出される。データが抽出されるときのある長さとは、ｔ１（＝ｔ０−Δｔ１）から開始し、ｔ２（＝ｔ０＋Δｔ２）で終了する期間である。Δｔ１やΔｔ２は、ｔ０における文字情報等に依存して決定される。例えば、バッファ部１２４からオーディオデータを読み出すとき、オーディオ検出部１５２は、時刻ｔ１を算出し（ステップＳ１０９）、時刻ｔ２を算出する（ステップＳ１１０）。そして、オーディオ検出部１５２は、時刻ｔ１〜ｔ２までのオーディオデータを検出する（ステップＳ１１１）。
【００４６】
例えば、ｔ０における文字情報が歌詞の一部である場合は、歌詞の全体の長さと一致時刻ｔ０における歌詞の位置に応じて、Δｔ１やΔｔ２が決定される。一致時刻ｔ０における歌詞が歌詞全体のうち冒頭に位置することが分かれば、Δｔ１は相対的に短い時間に決定され、Δｔ２は相対的に長い時間に決定される。また、ｔ０における文字情報が楽曲紹介の司会者の声の一部である場合は、楽曲の紹介（一致時刻ｔ０）から楽曲が開始するまでの時間や、歌詞の全体の長さに応じて、Δｔ１やΔｔ２が決定される。なお、Δｔ１やΔｔ２は、正の値に限らず負の値をとってもよい。
【００４７】
バッファ部１２４からオーディオデータが読み出される具体的な期間は、楽曲に応じて異なるが、歌詞全体と一致時刻ｔ０における歌詞の関係に関するパラメータを設定しておき、パラメータに基づいて決定されるとしてもよい。オーディオ検出部１５２で、バッファ部１２４からある長さのオーディオデータを読み出す際は、厳密な期間のデータを読み出さなくてもよい。図５に、オーディオデータの開始時刻ｔ１、終了時刻ｔ２を示す。開始時刻ｔ１、終了時刻ｔ２は、目的とした歌手又は楽曲の歌唱シーンが存在する時間帯であり、番組中における演奏シーンが放送されている時間帯を目安として知ることができる情報である。オーディオデータの開始時刻ｔ１、終了時刻ｔ２は、キーワード比較部１４４で検出された時刻ｔ０よりも、録画データにおける演奏シーンが存在する場所を特定できるが、正確な演奏期間ではない。
【００４８】
オーディオ検出部１５２で検出されたオーディオデータは、楽曲比較部１５４に送られる。また、楽曲比較部１５４は、ユーザーが保存したい歌手名又は曲名等に関する音声データを、データベース部１２２から読み出す。データベース部１２２から読み出される音声データは、歌唱や演奏に関する音声データである。楽曲比較部１５４は、第二の比較部の一例であり、検出されたオーディオデータと、データベース部１２２から読み出された音声データを比較する（ステップＳ１１２）。そして、楽曲比較部１５４は、ユーザーが保存したい目的とした歌手又は楽曲等に関する音声データが一致する時間帯を検出する（ステップＳ１１３）。楽曲比較部１５４は、第二の比較部の一例である。検出された時間帯は、例えば開始時刻ｔｓと終了時刻ｔｅで定義される。検出された開始時刻ｔｓ、終了時刻ｔｅは楽曲区間記録部１５６によってＲＡＭ１１８等のメモリに記録される。ここで、時刻とは例えば放送番組の時刻である。
【００４９】
図５に、録画データにおける時刻ｔｓ，ｔｅを示す。記録された時刻ｔｓ，ｔｅは、目的とした歌手又は楽曲の歌唱シーンが存在する時間帯を表す時刻であり、番組中において、いつ演奏シーンが放送されたかを知ることができる情報である。番組中において、一つの楽曲が全て通して演奏される場合でも、一つの楽曲の一部のみが演奏される場合でもいずれの場合も、楽曲比較部１５４は、時刻ｔｓ，ｔｅを検出できる。
【００５０】
楽曲比較部１５４によって検出された楽曲の開始時刻ｔｓ、終了時刻ｔｅは、キーワード比較部１４４で検出された時刻ｔ０や、オーディオ検出部１５２で検出された開始時刻ｔ１、終了時刻ｔ２よりも、録画データにおける演奏シーンが存在する場所を特定できる。このように、キーワード比較、オーディオ検出、楽曲比較と段階的に演奏シーンを特定することによって、音声データのみを使用して演奏シーンを特定する場合に比べて、迅速かつ精度良く、録画データにおける演奏シーンの開始時刻、終了時刻を特定できる。
【００５１】
そして、楽曲区間記録部１５６によって記録された時刻ｔｓ，ｔｅを用いることで、録画データから、ユーザーが保存したい目的とした歌手又は楽曲等に関する映像データ及び音声データを抽出できる。そして、録画部１３２は、時刻ｔｓ，ｔｅの時間帯の録画データを記憶部１２０に記録する。その結果、例えば、ユーザーが画面を見ながら録画開始及び録画終了の操作をすることなく、録画装置１００は目的とする演奏シーンのみを曲データとして録画できる（ステップＳ１１４）。
【００５２】
上述した図４のステップＳ１０６〜Ｓ１１２のシーン検出動作は、放送番組の受信と同時に行う。これにより、本実施形態では、楽曲の開始時刻ｔｓ、終了時刻ｔｅによって特定できる曲データのみを記憶部１２０に記録できる。目的とする演奏シーンのみを録画できるため、最終的な録画容量を低減できる。なお、本発明は、シーン検出動作を放送番組と同時に行う場合に限定されない。例えば、番組全体を記録した後に、図４のステップＳ１０６〜Ｓ１１２のシーン検出動作を行って、演奏シーンの抽出をしてもよい。
【００５３】
［時刻ｔｓ，ｔｅの使用例］
次に、楽曲区間記録部１５６によって記録された時刻ｔｓ，ｔｅの使用例について説明する。上記では、楽曲の開始時刻ｔｓ、終了時刻ｔｅによって特定できる、目的とする演奏シーンのみを録画する例について説明したが、時刻ｔｓ，ｔｅの使用例はこの例に限定されない。
【００５４】
例えば、録画装置１００における番組の録画は、番組全体が記憶部１２０に記録されてもよく、図６に示すように、画面１８２に、一つの放送番組１６０に含まれる複数の曲、例えば曲１６２，１６４をプレイリスト形式で表示してもよい。図６は、時間軸上の録画データと、画面に表示されるプレイリストを示す説明図である。プレイリストは、録画装置１００によって、楽曲区間記録部１５６によって記録された時刻ｔｓ，ｔｅと、歌手名又は曲名等の文字情報を使用して作成される。
【００５５】
図６に示す例では、画面１８２に表示されたプレイリストには、歌手名、曲名、その他の楽曲に関する情報が一覧表示されている。プレイリストには演奏シーンの開始時刻ｔｓや終了時刻ｔｅを表示してもよい。ユーザーは、リモートコントローラ等を使用して画面１８２に表示された楽曲を選択することで、視聴したい楽曲を迅速に表示させることができる。プレイリストは、一つの番組の複数の楽曲を一つの画面に表示してもよいし、複数の番組の複数の楽曲を一つの画面に表示してもよい。
【００５６】
また、図８に示すように、本実施形態に係る録画システムは、上述した録画装置１００以外に録画装置２００や情報処理装置３００などを有して、録画装置１００がシーン時刻情報を録画装置２００や情報処理装置３００などに送信してもよい。図８は、本発明の第１の実施形態に係る録画システムを示すブロック図である。
【００５７】
録画装置１００は、有線又は無線で録画装置２００又は情報処理装置３００などと接続される。録画装置２００は、録画装置１００と同様にハードディスクレコーダー、ホームサーバー等である。情報処理装置３００は、パーソナルコンピューター等である。録画装置１００から送信されるシーン時刻情報は、上述した楽曲区間記録部１５６によって記録された時刻ｔｓ，ｔｅである。
【００５８】
録画装置２００又は情報処理装置３００は、シーン時刻情報を受信することによって、自身が有している録画データから演奏シーンを抽出できる。また、録画装置２００又は情報処理装置３００のディスプレイにプレイリストを表示して、楽曲を一覧表示できる。
【００５９】
図９は、本実施形態に係る他の録画装置又は情報処理装置の動作を示すフローチャートである。録画装置１００以外の録画装置２００や情報処理装置３００は、録画装置１００からシーン時刻情報、即ち時刻ｔｓ，ｔｅを取得する（ステップＳ２０１）。そして、取得した時刻ｔｓ，ｔｅを記憶部に記録する（ステップＳ２０２）。これによって、録画装置２００や情報処理装置３００は、録画装置１００が図４のステップＳ１０６〜Ｓ１１２で行ったシーン検出動作を行うことなく、番組中で楽曲が演奏されているシーンの時間帯を保持できる。
【００６０】
録画装置２００や情報処理装置３００が、放送番組の録画データを有している場合、録画データから演奏シーンのみを曲データとして抽出できる（ステップＳ２０３）。抽出後に演奏シーン以外の部分を記憶部から削除すれば、録画容量を減少させることができる。また、録画装置２００や情報処理装置３００は、楽曲区間記録部１５６によって記録された時刻ｔｓ，ｔｅと、歌手名又は曲名等の文字情報を使用してプレイリストを作成してもよい（ステップＳ２０４）。このとき、歌手又は楽曲をジャンルやユーザーの好み等に応じて分類することで、テレビ放送から抽出したコンテンツデータを集めたプレイリストを作成することもできる。プレイリストには演奏シーンの開始時刻ｔｓや終了時刻ｔｅを表示してもよい。
【００６１】
本発明の第１の実施形態によれば、コンテンツデータ内の演奏シーンの時間帯を簡潔かつ確実に特定できる。従来、シーンの切り替わりは検出可能であったが、ユーザーが目的とする歌手又は楽曲の演奏シーンを検出できなかった。一方、本実施形態によれば、ユーザーが目的とする歌手又は楽曲を指定したとき、指定した目的とする歌手又は楽曲の演奏シーンの時間帯を検出できる。また、歌手又は楽曲の演奏シーンのみをユーザーが手動で操作することなく録画できる。更に、目的のシーンのみを録画することで、録画容量を低減できる。また、目的の歌手又は楽曲を集めたプレイリストを作成できる。
【００６２】
＜２．第２の実施形態＞
次に、本発明の第２の実施形態に係る録画システム及び録画装置について説明する。
図７は、時間軸上の録画データと、画面に表示される演奏時刻情報を示す説明図である。上述した第１の実施形態では、キーワード比較、オーディオ検出、楽曲比較と段階的に演奏シーンを特定して、録画データにおける演奏シーンの開始時刻、終了時刻を特定した。
【００６３】
本実施形態では、キーワード比較のみで録画データにおける演奏シーンを簡易的に特定する。
【００６４】
即ち、第１の実施形態と同様に、字幕検出部１４２で、字幕データがバッファ部１２４に保管された録画データから検出される。検出された字幕データは、キーワード比較部１４４に送られる。また、キーワード比較部１４４では、ユーザーが保存したい歌手名又は曲名等に関する文字情報が、データベース部１２２から読み出される。キーワード比較部１４４は、検出された字幕データと、データベース部１２２から読み出された文字情報を比較して、ユーザーが保存したい目的とした歌手又は楽曲等に関する文字情報が一致する時刻ｔ０を検出する。検出された一致時刻ｔ０は、一致時刻記録部１４６によってＲＡＭ１１８等のメモリに記録される。
【００６５】
そして、第１の実施形態で説明した、オーディオ検出、楽曲比較に関する動作は、第２の実施形態では行わない。
【００６６】
以上の動作で記録された一致時刻ｔ０は、目的とした歌手又は楽曲の歌唱シーンが存在する時刻であり、番組中において、いつ演奏シーンが放送されたかを目安として知ることができる情報である。この時刻情報を使用して、目的の歌唱シーンの時刻をユーザーに提供する。
【００６７】
図７に示すように、画面１８４に、一つの放送番組１６０に含まれる複数の曲の時刻情報ｔ０１，ｔ０２を演奏時刻情報として一覧で表示してもよい。演奏時刻情報は、録画装置１００によって、一致時刻記録部１４６によって記録された時刻ｔ０１，ｔ０２等と、歌手名又は曲名等の文字情報を使用して作成される。
【００６８】
図７に示す例では、画面１８４に表示された演奏時刻情報には、歌手名、曲名、その他の楽曲に関する情報、演奏シーンが含まれる時刻ｔ０が表示されている。ユーザーは、リモートコントローラ等を使用して画面１８４に表示された楽曲を選択することで、視聴したい楽曲を迅速に表示させることができる。演奏時刻情報は、一つの番組の複数の楽曲を一つの画面に表示してもよいし、複数の番組の複数の楽曲を一つの画面に表示してもよい。
【００６９】
本発明の第２の実施形態によれば、コンテンツデータ内の演奏シーンの時刻を簡潔に特定できる。従来、シーンの切り替わりは検出可能であったが、ユーザーが目的とする歌手又は楽曲の演奏シーンを検出できなかった。一方、本実施形態によれば、ユーザーが目的とする歌手又は楽曲を指定したとき、指定した目的とする歌手又は楽曲の演奏シーンの時刻を検出できる。
【００７０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７１】
１０      ネットワーク
２０      サーバー
２２      データベース
３０      ディスプレイ
１００，２００      録画装置
１０２      ＣＰＵ
１０４      チューナ
１０６      デコーダ
１０８      エンコーダ
１１２      通信制御部
１１４      ＲＯＭ
１１６      表示制御部
１１８      ＲＡＭ
１２０      記憶部
１２２      データベース部
１２４      バッファ部
１３２      録画部
１４２      字幕検出部
１４４      キーワード比較部
１４６      一致時刻記録部
１５２      オーディオ検出部
１５４      楽曲比較部
１５６      楽曲区間記録部
３００      情報処理装置
【図１】
2011091588.tif 000003
【図２】
2011091588.tif 000004
【図３】
2011091588.tif 000005
【図４】
2011091588.tif 000006
【図５】
2011091588.tif 000007
【図６】
2011091588.tif 000008
【図７】
2011091588.tif 000009
【図８】
2011091588.tif 000010
【図９】
2011091588.tif 000011